(57)【特許請求の範囲】
【請求項１】
携帯端末及び情報表示装置に通信回線を介して接続された情報配信装置であって、
前記携帯端末の端末位置情報及び前記携帯端末を識別する端末識別情報を所定時間毎に受信する受信手段と、
前記端末位置情報及び前記端末識別情報を、該端末位置情報及び該端末識別情報の受信時刻を示す時刻情報に対応づけて記憶する第１記憶手段と、
前記情報表示装置の装置位置情報を記憶する第２記憶手段と、
前記携帯端末の利用者の特徴を示す特徴情報を、前記端末識別情報に対応づけて記憶する第３記憶手段と、
複数のコンテンツのコンテンツデータを記憶する第４記憶手段と、
前記コンテンツデータの配信スケジュールを記憶する第５記憶手段と、
前記配信スケジュールに沿って、前記コンテンツデータを前記情報表示装置に配信する配信手段と、
前記端末識別情報、前記端末位置情報、前記時刻情報、前記情報表示装置の位置情報、及び前記配信スケジュールに基づいて、前記情報表示装置に表示中のコンテンツの配信終了時刻に該情報表示装置の位置から予め定められた領域内に位置する携帯端末を、次に配信するコンテンツの配信対象端末として特定する特定手段と、
前記配信対象端末の端末識別情報に対応する前記特徴情報から、該配信対象端末の利用者に共通する共通情報を作成し、該共通情報に基づいて、次に配信するコンテンツデータを決定する決定手段と、
該コンテンツデータを前記配信終了時刻から配信することを示す情報を前記第５記憶手段に記憶することによって、前記配信スケジュールを更新する更新手段と、
を備えた情報配信装置。
【請求項２】
前記特定手段は、
前記携帯端末の中から、前記情報表示装置に表示中の前記コンテンツの配信終了時刻に該情報表示装置の位置から予め定められた領域内に位置する携帯端末を特定する第１特定手段と、
特定された携帯端末の前記端末識別情報に対応する前記特徴情報に基づいて、該携帯端末を複数のグループに分類し、分類した複数のグループの中で、携帯端末の数が最も多いグループに属する携帯端末を、前記配信対象端末として特定する第２特定手段と、
を有する、請求項１に記載の情報配信装置。
【請求項３】
前記第１特定手段は、前記第１記憶手段に記憶されている前記端末識別情報の各々に対応する前記携帯端末の移動距離、移動速度、及び移動角度を算出し、算出結果と前記装置位置情報とに基づいて、前記携帯端末の現在時刻における位置から前記配信終了時刻における位置までの距離を算出し、該距離が予め定めた閾値以下である携帯端末を特定する請求項２に記載の情報配信装置。
【請求項４】
前記コンテンツデータの各々に関するメタデータを記憶する第７記憶手段を更に備え、
前記決定手段は、作成した前記共通情報に対応する情報を含むメタデータに応じたコンテンツデータを、次に配信するコンテンツデータとして決定する、請求項１〜請求項３の何れか１項に記載の情報配信装置。
【請求項５】
携帯端末と、情報表示装置と、前記携帯端末及び前記情報表示装置に通信回線を介して接続された情報配信装置と、を備えた情報配信システムであって、
前記情報配信装置は、
前記携帯端末の端末位置情報及び前記携帯端末を識別する端末識別情報を所定時間毎に受信する受信手段と、
前記端末位置情報及び前記端末識別情報を、該端末位置情報及び該端末識別情報の受信時刻を示す時刻情報に対応づけて記憶する第１記憶手段と、
前記情報表示装置の装置位置情報を記憶する第２記憶手段と、
前記携帯端末の利用者の特徴を示す特徴情報を、前記端末識別情報に対応づけて記憶する第３記憶手段と、
複数のコンテンツデータを記憶する第４記憶手段と、
前記コンテンツデータの配信スケジュールを記憶する第５記憶手段と、
前記配信スケジュールに沿って、前記コンテンツデータを前記情報表示装置に配信する配信手段と、
前記端末識別情報、前記端末位置情報、前記時刻情報、前記情報表示装置の位置情報、及び前記配信スケジュールに基づいて、前記情報表示装置に表示中のコンテンツの配信終了時刻に該情報表示装置の位置から予め定められた領域内に位置する携帯端末を、次に配信するコンテンツの配信対象端末として特定する特定手段と、
前記配信対象端末の端末識別情報に対応する前記特徴情報から、該配信対象端末の利用者に共通する共通情報を作成し、該共通情報に基づいて、次に配信するコンテンツデータを決定する決定手段と、
該コンテンツデータを前記配信終了時刻から表示することを示す情報を前記第５記憶手段に記憶することによって、前記配信スケジュールを更新する更新手段と、
を備え、
前記情報表示装置が、
前記コンテンツを表示する表示手段を備えた、
情報配信システム。
【請求項６】
携帯端末に通信回線を介して接続された情報表示装置であって、
前記携帯端末の端末位置情報及び前記携帯端末を識別する端末識別情報を所定時間毎に受信する受信手段と、
前記端末位置情報及び前記端末識別情報を、該端末位置情報及び該端末識別情報の受信時刻を示す時刻情報に対応づけて記憶する第１記憶手段と、
前記情報表示装置の装置位置情報を記憶する第２記憶手段と、
前記携帯端末の利用者の特徴を示す特徴情報を、前記端末識別情報に対応づけて記憶する第３記憶手段と、
複数のコンテンツのコンテンツデータを記憶する第４記憶手段と、
前記コンテンツデータの配信スケジュールを記憶する第５記憶手段と、
前記配信スケジュールに沿って、前記コンテンツデータを配信する配信手段と、
前記コンテンツを表示する表示手段と、
前記端末識別情報、前記端末位置情報、前記時刻情報、前記情報表示装置の位置情報、及び前記配信スケジュールに基づいて、前記情報表示装置に表示中のコンテンツの配信終了時刻に該情報表示装置の位置から予め定められた領域内に位置する携帯端末を、次に配信するコンテンツの配信対象端末として特定する特定手段と、
前記配信対象端末の端末識別情報に対応する前記特徴情報から、該配信対象端末の利用者に共通する共通情報を作成し、該共通情報に基づいて、次に配信するコンテンツデータを決定する決定手段と、
該コンテンツデータを前記配信終了時刻から配信することを示す情報を前記第５記憶手段に記憶することによって、前記配信スケジュールを更新する更新手段と、
を備えた情報表示装置。
【発明の詳細な説明】
【技術分野】
【０００１】
本発明の実施形態は、情報配信装置、システム、及び情報表示装置に関する。
【背景技術】
【０００２】
液晶パネルやプラズマディスプレイ等の表示装置に広告画像や映像等のコンテンツを表示する情報表示装置が知られている。このような情報表示装置としては、デジタルサイネージ装置が知られている。デジタルサイネージ装置とは、表示と通信にデジタル技術を活用し、従来の印刷ポスター等に代わって、ディスプレイやプロジェクタ等によって映像や情報を表示する新たな電子情報媒体である。デジタルサイネージ装置は、従来の印刷ポスター等に比べて、表示コンテンツを容易に変更することができる。このため、デジタルサイネージ装置を用いることによって、デジタルサイネージ装置の設置場所や放送時間帯に応じたコンテンツを随時提供することができる。
【先行技術文献】
【特許文献】
【０００３】
【特許文献１】特開２００７−１０２０５１号公報
【発明の概要】
【発明が解決しようとする課題】
【０００４】
特許文献１には、デジタルサイネージ装置を用いたシステムが開示されている。特許文献１では、複数のユーザの特徴情報を記憶しておき、ユーザの携帯端末から送信された位置情報と特徴情報とから、広告表示装置の設置位置から所定領域内に現在存在中のユーザの嗜好分布を求め、この嗜好分布に応じた広告データを該広告表示装置に表示している。
【０００５】
しかしながら、特許文献１に開示されている技術では、広告表示装置に広告を表示する度に、広告表示装置の近辺領域に現在位置しているユーザを特定して特定したユーザの特徴情報に応じたコンテンツを選択して表示する一連の処理を実行する必要がある。このため、特許文献１の技術では、これらの一連の処理を行う装置への負荷が大きく、実際には、リアルタイムにユーザに応じたコンテンツを容易に配信することは困難であった。
【課題を解決するための手段】
【０００６】
実施形態の情報配信装置は、携帯端末及び情報表示装置に通信回線を介して接続された情報配信装置であって、受信手段と、第２記憶手段と、第３記憶手段と、第４記憶手段と、第５記憶手段と、配信手段と、特定手段と、決定手段と、更新手段と、を備えている。受信手段は、前記携帯端末の端末位置情報及び前記携帯端末を識別する端末識別情報を所定時間毎に受信する。第１記憶手段は、前記端末位置情報及び前記端末識別情報を、該端末位置情報及び該端末識別情報の受信時刻を示す時刻情報に対応づけて記憶する。第２記憶手段は、前記情報表示装置の装置位置情報を記憶する。第３記憶手段は、前記携帯端末の利用者の特徴を示す特徴情報を、前記端末識別情報に対応づけて記憶する。第４記憶手段は、複数のコンテンツのコンテンツデータを記憶する。第５記憶手段は、前記コンテンツデータの配信スケジュールを記憶する。配信手段は、前記配信スケジュールに沿って、前記コンテンツデータを前記情報表示装置に配信する。特定手段は、前記端末識別情報、前記端末位置情報、前記時刻情報、前記情報表示装置の位置情報、及び前記配信スケジュールに基づいて、前記情報表示装置に表示中のコンテンツの配信終了時刻に該情報表示装置の位置から予め定められた領域内に位置する携帯端末を、次に配信するコンテンツの配信対象端末として特定する。決定手段は、前記配信対象端末の端末識別情報に対応する前記特徴情報から、該配信対象端末の利用者に共通する共通情報を作成し、該共通情報に基づいて、次に配信するコンテンツデータを決定する。更新手段は、該コンテンツデータを前記配信終了時刻から配信することを示す情報を前記第５記憶手段に記憶することによって、前記配信スケジュールを更新する。
【図面の簡単な説明】
【０００７】
【図１】実施の形態１の情報配信システムを示すブロック図。
【図２】実施の形態１の情報配信システムを示す模式図。
【図３】実施の形態１のリンクテーブルの一例を示す図。
【図４】実施の形態１のリンクテーブルの一例を示す図。
【図５】特徴情報の一例を示す図。
【図６】実施の形態１の配信スケジュールの一例を示す図。
【図７】実施の形態１のメタデータの一例を示す図。
【図８】実施の形態１の特定方法を示す模式図。
【図９】実施の形態１の特徴情報の一例を示す図。
【図１０】実施の形態１の共通情報の一例を示す図。
【図１１】実施の形態１の配信処理の一例を示すフローチャート。
【図１２】実施の形態１の情報配信装置のハードウェア構成のブロック図。
【図１３】実施の形態１の情報表示装置のハードウェア構成のブロック図。
【図１４】実施の形態２の情報配信システムを示すブロック図。
【発明を実施するための形態】
【０００８】
以下に添付図面を参照して、本実施形態にかかる情報配信装置、方法、及び情報表示装置の一例を詳細に説明する。
【０００９】
（実施の形態１）
図１は、本実施の形態の情報配信装置を備えた情報配信システムのネットワーク構成、及び情報配信装置、情報表示装置、及び携帯端末の各機能的構成を示すブロック図である。図２は、本実施の形態の情報配信システムが実際の環境に適用された場合を模式的に示した図である。
【００１０】
本実施の形態では、情報配信システム１０は、情報配信装置１２と、情報表示装置１４と、携帯端末１６と、を備え、これらがインターネット等の通信回線１８に接続された構成となっている。
【００１１】
携帯端末１６は、ユーザ５２（利用者）によって携帯される端末である。本実施の形態では、携帯端末１６は、携帯端末１６の位置を示す位置情報と、携帯端末１６を一意に識別するための識別情報である携帯端末ＩＤと、を情報配信装置１２に所定間隔で送信する。携帯端末１６としては、例えば、スマートフォン（登録商標）等の携帯電話、ｉＰａｄ（登録商標）等のタブレット端末等が挙げられるが、これらに限られない。
【００１２】
携帯端末１６の位置を示す位置情報としては、該携帯端末１６がＧＰＳ（Ｇｌｏｂａｌ  Ｐｏｓｉｔｉｏｎｉｎｇ  Ｓｙｓｔｅｍ）機能を有する端末である場合には、該携帯端末１６のＧＰＳで計測した位置情報を用いる。なお、携帯端末１６の位置情報は、携帯端末１６の現在位置を示す情報であればよく、ＧＰＳで計測した位置情報に限られない。
【００１３】
情報表示装置１４は、情報配信装置１２から配信されたコンテンツデータのコンテンツを再生する装置である。この情報表示装置１４としては、電車やタクシーなどの移動体内や、駅や店舗の構内や街路やビル５４等に固定して設置される表示装置が挙げられる。なお、この情報表示装置１４は、具体的には、デジタルサイネージ装置と称される装置が該当するが、これに限定されない。
【００１４】
なお、本実施の形態では、情報表示装置１４は、固定して設置されている場合を説明するが、このような形態に限定されない。
【００１５】
コンテンツデータとは、デジタルデータ化された人間が観賞するひとまとまりの情報、すなわち、広告等の映像や画像、音楽、文章、などのコンテンツを表すデジタルデータ、あるいはそれらの組み合わせを示す。コンテンツデータとしては、例えば、ＨＴＭＬ（Ｈｙｐｅｒｔｅｘｔ  Ｍａｒｋｕｐ  Ｌａｎｇｕａｇｅ）等の構造化文書の形式や、ＪＰＥＧ（Ｊｏｉｎｔ  Ｐｈｏｔｏｇｒａｐｈｉｃ  Ｅｘｐｅｒｔｓ  Ｇｒｏｕｐ）等の静止画像、ＭＰＥＧ（Ｍｏｖｉｎｇ  Ｐｉｃｔｕｒｅ  Ｅｘｐｅｒｔｓ  Ｇｒｏｕｐ）等の動画の形式で構成されたデータを用いる。
【００１６】
情報表示装置１４は、詳細には、図１に示すように、通信部４６、処理部４８、及び表示部５０を主に備えている。
【００１７】
通信部４６は、情報配信装置１２から配信されたコンテンツデータを受信する。また、通信部４６は、情報表示装置１４を一意に識別するための識別情報と、該情報表示装置１４の位置を示す位置情報と、を情報配信装置１２に送信する。
【００１８】
情報表示装置１４の位置を示す位置情報としては、例えば、ＧＰＳ機能によって計測された位置情報が用いられる。なお、情報表示装置１４の位置情報は、情報表示装置１４の設置されている位置を示す情報であればよく、ＧＰＳで計測した位置情報に限られない。
【００１９】
表示コンテンツ処理部４８は、情報配信装置１２から通信部４６を介してコンテンツデータを受け付け、受け付けたデータを表示部５０で表示可能な形式に変換し、表示部５０に表示する。表示部５０としては、ＬＣＤ（Ｌｉｑｕｉｄ  Ｃｒｙｓｔａｌ  Ｄｉｓｐｌａｙ）等の公知の表示装置が挙げられる。
【００２０】
次に、情報配信装置１２について説明する。情報配信装置１２は、コンテンツデータを、後述するコンテンツスケジュールに沿ったスケジュールで情報表示装置１４に配信する装置である。なお、情報配信装置１２は、複数の情報表示装置１４に、各情報装置１４の設置環境に応じたコンテンツデータを配信する装置である。本実施の形態では、一例として、１つの情報表示装置１４に、コンテンツデータを配信する場合を説明する。
【００２１】
情報配信装置１２は、受信部２０、第１記憶部２２、第２記憶部２４、特定部２７、決定部３２、更新部３８、第６記憶部３０、第７記憶部３４、第５記憶部４０、第４記憶部４２、第３記憶部３６、及び配信部４４を主に備えている。
【００２２】
受信部２０は、情報表示装置１４から、情報表示装置１４を一意に識別するための識別情報（以下、装置ＩＤと称する）と、該情報表示装置１４の位置を示す位置情報とを受信する。また、受信部２０は、ユーザ５２によって携帯されている複数の携帯端末１６の各々から、予め定めた所定時間毎に、携帯端末１６の位置を示す位置情報と携帯端末１６を一意に識別するための識別情報（以下、端末ＩＤと称する）とを受信する。
【００２３】
第２記憶部２４は、ハードディスクドライブ装置（ＨＤＤ）等の記憶媒体であり、情報表示装置１４の装置ＩＤと、該情報表示装置１４の位置を示す位置情報とを対応づけたリンクテーブルを記憶する。
【００２４】
図３には、第２記憶部２４に記憶されるリンクテーブルのデータ構造の一例を示した。図３に示すように、第２記憶部２４には、例えば、情報表示装置１４の装置ＩＤと、情報表示装置１４の位置情報と、情報表示装置１４の所在値と、が対応づけて記憶される。なお、図３には、情報表示装置１４の位置情報として、情報表示装置１４のＧＰＳの機能により得られた情報である、緯度情報と経度情報によって示される座標情報を示した。
【００２５】
図１に戻り、第１記憶部２２は、ハードディスクドライブ装置（ＨＤＤ）等の記憶媒体であり、複数の携帯端末１６の各々から受信部２０を介して受信された、各携帯端末１６の位置を示す位置情報と各携帯端末１６の端末ＩＤとを、これらの情報が受信部２０で受信された時間を示す時間情報に対応づけたリンクテーブルを記憶する。なお、この各携帯端末１６の位置情報と端末ＩＤは、予め定めた所定時間毎に受信部２０を介して受信され、第１記憶部２２のリンクテーブルに順次登録される。このため、第１記憶部２２のリンクテーブルには、各携帯端末１６の端末ＩＤ毎に、複数の時間情報の各々に対応する位置情報が記憶される。
【００２６】
なお、本実施の形態では、第１記憶部２２に記憶される時間情報の時間は、携帯端末１６の位置情報と端末ＩＤとを受信部２０で受信した受信時刻である場合を説明するが、該時間情報は、携帯端末１６が該位置情報の位置に存在している時間を示す情報であればよく、この受信した時間に限られない。
【００２７】
図４には、第１記憶部２２に記憶されるリンクテーブルのデータ構造の一例を示した。図４に示すように、第１記憶部２２には、例えば、端末ＩＤと、機種名と、情報表示装置１４の位置情報と、受信時刻と、が対応づけて記憶される。なお、図４には、携帯端末１６の位置情報として、携帯端末１６のＧＰＳの機能により得られた情報である、緯度情報と経度情報によって示される座標情報を示した。
【００２８】
図１に戻り、第３記憶部３６は、ハードディスクドライブ装置（ＨＤＤ）等の記憶媒体であり、ユーザ５２の特徴情報を記憶する。特徴情報とは、携帯端末１６の利用者であるユーザ５２の嗜好、性別、年齢等の、ユーザ５２の特徴を示す情報である。この特徴情報としては、例えば、嗜好を表すキーワード情報や、性別を示す情報や、年齢を示す情報等が挙げられるが、これに限られない。図５には、第３記憶部３６に記憶される特徴情報を含むデータのデータ構成を示した。図５に示すように、第３記憶部３６には、例えば、端末ＩＤと、利用者を示す情報と、年齢と、性別と、嗜好を表すキーワードと、が対応づけて記憶される。
【００２９】
この第３記憶部３６に記憶される特徴情報は、例えば、各携帯端末１６から受信部２０で受け付けて、第３記憶部３６に記憶すればよい。この場合には、例えば携帯端末１６に、特徴情報を取得するためのプログラムを予めインストールしておけばよい。そして、このプログラムとしては、携帯端末１６の表示画面の特徴情報の入力画面を表示してユーザ５２の携帯端末１６の操作指示によって特徴情報の入力を可能とし、入力された特徴情報と携帯端末１６の端末ＩＤとを少なくとも含む情報を、情報配信装置１２に送信するプログラムが挙げられる。また、この特徴情報を取得するためのプログラムとしては、例えば、携帯端末１６に記憶されているユーザ５２によるウェブサーバーへのアクセス履歴やメール内容等から所定時間毎に特徴情報を抽出し、抽出した特徴情報と端末ＩＤとを含む情報を、情報配信装置１２に送信するプログラムが挙げられる。また、この特徴情報を取得するためのプルグラムとしては、例えば、携帯端末１６に記憶されているアクセス履歴等の履歴情報と端末ＩＤとを含む情報を、所定時間毎に情報配信装置１２に送信するプログラムが挙げられる。携帯端末１６から携帯端末１６のアクセス履歴等の履歴情報と端末ＩＤとを含む情報を受信した場合には、情報配信装置１２において該履歴情報から特徴情報を抽出して第３記憶部３６に記憶すればよい。
【００３０】
なお、第３記憶部３６に記憶される特徴情報は、予め、磁気テープやフラッシュメモリ等の各種記憶装置や記憶媒体から読み取ることによって得てもよい。この場合には、該記憶装置や記憶媒体に、予め特徴情報と端末ＩＤとを少なくとも含む情報が記憶されているものとすればよい。
【００３１】
第５記憶部４０は、ハードディスクドライブ装置（ＨＤＤ）等の記憶媒体であり、配信スケジュールを記憶する。配信スケジュールは、コンテンツデータを情報表示装置１４に配信するスケジュールを示す。具体的には、配信スケジュールは、コンテンツデータを一意に識別するためのコンテンツＩＤと、コンテンツデータの配信時刻と、を含んでいる。この配信時刻は、詳細には、コンテンツデータの配信開始時刻と、配信終了時刻と、を示している。なお、本実施の形態では、コンテンツデータの配信時刻は、配信開始時刻と配信終了時刻とを示す場合を説明するが、配信開始時刻と、コンテンツの表示時間の長さであってもよい。
【００３２】
なお、配信開始時刻とは、情報表示装置１４の後述する表示部５０にコンテンツの表示が開始される表示開始時刻を示す。また、配信終了時刻とは、情報表示装置１４の後述する表示部５０に表示されているコンテンツの表示終了時刻を示す。
【００３３】
図６には、第５記憶部４０に記憶される配信スケジュールのデータ構造の一例を示した。図６に示すように、第５記憶部４０には、例えば、配信開始時刻と、配信終了時刻と、コンテンツＩＤと、が対応づけて記憶される。
【００３４】
図６に示す例では、配信スケジュールには、具体的には、１２時１５分から１２時２０分までは、コンテンツＩＤ「０００００３」のコンテンツデータの配信を示す情報と、１２時３０分から１２時３５分３０秒までは、コンテンツＩＤ「００００４」のコンテンツデータの配信を示す情報とが格納されている。また、該配信スケジュールには、１２時３５分３０秒から１２時４０分までは、コンテンツＩＤ「００００１４」のコンテンツデータの配信を示す情報と、１２時４９分から１３時００分までは、コンテンツＩＤ「０００３２」のコンテンツデータの配信を示す情報とが格納されている。
【００３５】
さらに、図６に示す配信スケジュールには、配信時刻に対応づけられていないコンテンツＩＤも記憶されている場合を示した。具体的には、図６に示すように、「ｎｏ  ａｕｄｉｅｎｃｅ  ｔｉｍｅ」に対応づけて、コンテンツＩＤ「０００５」が対応づけて記憶されている場合を示した。
【００３６】
図１に戻り、第４記憶部４２は、ハードディスクドライブ装置（ＨＤＤ）等の記憶媒体であり、上記配信スケジュールに登録されているコンテンツＩＤに対応するコンテンツデータを予め記憶する。具体的には、第４記憶部４２には、コンテンツＩＤに対応づけて、コンテンツデータが記憶されている。
【００３７】
第７記憶部３４は、ハードディスクドライブ装置（ＨＤＤ）等の記憶媒体であり、第４記憶部４２に記憶されているコンテンツデータの各々に関するメタデータを記憶する。メタデータとは、コンテンツに付属している情報の集まりであり、主として、コンテンツの内容を説明することを目的とした情報である。メタデータは、具体的には、コンテンツＩＤに、コンテンツに付属している情報が関連付けて記録されている。
【００３８】
このメタデータは、第４記憶部４２にコンテンツデータを記憶するときに、該コンテンツデータからメタデータを抽出して第７記憶部３４に記憶するようにしてもよいし、ユーザの操作指示によって入力されるようにしてもよく、その入手形態は限定されない。
【００３９】
図７には、第７記憶部３４に記憶されているメタデータのデータ構造の一例を示した。図７に示すように、メタデータは、例えば、コンテンツＩＤ、コンテンツ名称、ターゲットユーザ、出演者、及び特徴語を含んで構成されている。
【００４０】
図１に戻り、特定部２７は、複数の携帯端末１６のうちの、情報表示装置１４の表示部５０に現在表示中のコンテンツの配信終了時刻（すなわち表示終了時刻）に、該情報表示装置１４の位置から予め定められた領域内に位置する携帯端末１６を、次のコンテンツの配信対象端末として特定する。
【００４１】
この情報表示装置１４の位置から予め定められた領域としては、例えば、情報表示装置１４の表示部５０に表示されたコンテンツを、ユーザ５２が視認することが可能な領域が定められる。例えば、上記図２に示すように、情報表示装置１４に表示されたコンテンツを視認可能な予め定められた領域として、領域Ａが定められる。この領域Ａを示す情報は、情報表示装置１４からの距離を示す情報であってもよいし、該領域の位置座標を示す情報であってもよい。以下、情報表示装置１４の位置から予め定められた領域を、領域Ａと称して説明する。
【００４２】
なお、この領域Ａを示す情報は、対応する情報表示装置１４の装置ＩＤに対応づけて、情報表示装置１４の図示を省略するメモリ内に予め記憶されているものとする。
【００４３】
特定部２７は、具体的には、第１特定部２６と、第２特定部２８と、を含んでいる。
【００４４】
第１特定部２６は、情報表示装置１４の表示部５０に表示されているコンテンツの配信終了時刻に、上記領域Ａ内に位置されていると予測される携帯端末１６を特定する。すなわち、情報表示装置１４の表示部５０にコンテンツが表示されているときに、第１特定部２６は、情報表示装置１４の位置情報と、携帯端末１６の各受信時刻に対応する位置情報と、領域Ａを示す情報と、に基づいて、該コンテンツの配信終了時刻に上記領域Ａ内に到る携帯端末１６（ユーザ５２）を特定する。
【００４５】
この第１特定部２６における、情報表示装置１４の表示部５０に表示中のコンテンツの配信終了時に、領域Ａ内に到る携帯端末１６の特定方法について、図８を用いて具体的に説明する。なお、図８は、第１特定部２６における、上記領域Ａ内に携帯端末１６が存在するか否かの特定方法を模式的に示した図である。
【００４６】
まず、第１特定部２６は、表示部５０にコンテンツが表示されているときに、第２記憶部２４から、情報表示装置１４の装置ＩＤと位置情報とを読み取る。
【００４７】
また、第１特定部２６は、第１記憶部２２に記憶されている端末ＩＤの各々に対応する、受信時刻の異なる少なくとも２つの位置情報を読み取る。なお、本実施の形態では、一例として、第１記憶部２２に記憶されている複数の端末ＩＤの各々について、現在時刻（第１特定部２６が第１記憶部２２にアクセスする時刻）と同じ受信時刻（例えば、受信時刻ｔ＋ｍとする）に対応する位置情報と、該受信時刻より前の受信時刻（例えば、受信時刻ｔとする）に対応する位置情報と、を読み取る場合を説明する。すなわち、本実施の形態では、第１特定部２６は、各携帯端末１６における、現在時刻における位置情報と、過去のある時刻における位置情報と、を読み取る。
【００４８】
そして、この読み取った位置情報に基づいて、携帯端末１６の移動距離と移動速度と移動角度（移動方向）を求める。
【００４９】
例えば、図８に示すように、受信時刻ｔ＋ｍにおける携帯端末１６の位置Ｐを示す位置情報が、緯度情報と経度情報によって示される（０，φ）であったとする。また、受信時刻ｔにおける携帯端末１６の位置Ｑを示す位置情報が、緯度情報と経度情報によって示される（ｋ，μ）であったとする。この場合には、第１特定部２６は、まず、位置Ｐから位置Ｑへの携帯端末１６の移動距離Ｄを求める。
【００５０】
この携帯端末１６の移動距離Ｄの算出には、例えば、下記式（１）を用いる。
【００５１】
なお、下記式（１）は、携帯端末１６や情報表示装置１４の位置情報が、ＧＰＳで測定された値である場合に用いる式の一例である。そして、式（１）は、受信時刻ｔ＋ｍにおける携帯端末１６の位置Ｐを示す位置情報が、（経度，緯度）＝（θ，φ）であり、受信時刻ｔにおける携帯端末１６の位置Ｑを示す位置情報が、（経度，緯度）＝（ｋ，μ）である場合を示したものである。なお、経度および緯度の単位はラジアンとする。
【００５２】
Ｄ＝Ｒ×ａｃｏｓ（（ａ×ｄ＋ｂ×ｅ＋ｃ×ｆ）／Ｒ２）    式（１）
【００５３】
式（１）中、ａ、ｂ、ｃ、ｄ、ｅ、ｆ、及びＲは、各々、下記を示す。
【００５４】
ａ＝Ｒ×ｃｏｓφ×ｃｏｓθ
ｂ＝Ｒ×ｃｏｓφ×ｓｉｎθ
ｃ＝Ｒ×ｓｉｎφ
ｄ＝Ｒ×ｃｏｓμ×κ
ｅ＝Ｒ×ｃｏｓμ×κ
ｆ＝Ｒ×ｓｉｎμ
Ｒ＝６３７８．１
【００５５】
なお，距離値Ｄの単位はｋｍで、経度および緯度の単位はラジアンとする。
【００５６】
次に、第１特定部２６は、位置Ｐから位置Ｑへの携帯端末１６の移動距離Ｄから、各携帯端末１６の移動速度ｖ（Ｄ／ｍ）と、移動角度α（ａｒｃｔａｎ  μ／κ）を求める。
【００５７】
そして、さらに、第１特定部２６は、これらの移動距離Ｄ、移動速度ｖ、移動角度αの算出結果に基づいて、表示部５０に表示中のコンテンツの配信終了時刻（例えば、時刻ｔ＋ｋとする）に、領域Ａ内に該携帯端末１６が存在するか否かを特定する。
【００５８】
具体的には、第１特定部２６は、時刻（ｔ＋ｋ）における携帯端末１６の予測位置を示す位置情報を計算する。この予測値として、第１特定部２６は、例えば、該位置情報の経度を、θ＋ｋｖｃｏｓαを算出することによって求め、該位置情報の緯度を、φ＋ｋｖｓｉｎαを算出することによって求める。そして、表示部５０に表示中のコンテンツの配信終了時刻であるこの時刻（ｔ＋ｋ）における、携帯端末１６の予測位置を示す位置情報（θ＋ｋｖｃｏｓα，φ＋ｋｖｓｉｎα）によって示される位置Ｒから、情報表示装置１４までの距離値Ｄを、上記式（１）を用いて求める。そして、求めた距離値が、領域Ａによって示される情報表示装置１４からの特定距離を示す値以下である携帯端末１６を、表示部５０に表示中のコンテンツの配信終了時刻に上記領域Ａ内に到る携帯端末１６（ユーザ５２）として特定する。
【００５９】
第２特定部２８は、第１特定部２６で特定された、情報表示装置１４の表示部５０に表示中のコンテンツの配信終了時刻に上記領域Ａ内に到る携帯端末１６の内の、少なくとも一部の携帯端末１６を、次に配信するコンテンツの配信対象端末として特定する。
【００６０】
本実施の形態では、第１特定部２６で特定された、情報表示装置１４の表示部５０に表示中のコンテンツの配信終了時刻に上記領域Ａ内に到る携帯端末１６のユーザ５２の特徴情報に応じて、次に配信するコンテンツの配信対象端末を特定する。
【００６１】
具体的には、まず、第２特定部２８は、第１特定部２６で特定された携帯端末１６のユーザ５２の特徴情報を、第３記憶部３６から読み取る。この読取りは、第１特定部２６で特定された携帯端末１６の端末ＩＤに対応する特徴情報を第３記憶部３６から読み取ることによって行われる。
【００６２】
そして、第２特定部２８は、読み取った特徴情報に基づいて、第１特定部２６で特定された携帯端末１６を複数のグループに分類する。例えば、第２特定部２８は、該読み取った各携帯端末１６（ユーザ５２）の特徴情報から、少なくとも２つの携帯端末１６に共通する共通情報を抽出し、抽出した各共通情報を有する携帯端末１６毎に、第１特定部２６で特定された携帯端末１６を複数のグループに分類する。そして、第２特定部２８は、分類した複数のグループの内の、属するユーザ５２（携帯端末１６）の数の最も多いグループに属する携帯端末１６を、次に配信するコンテンツの配信対象端末として特定する。
【００６３】
例えば、第１特定部２６によって特定された携帯端末１６の特徴情報として、第２特定部２８が、図９に示す特徴情報を読み取ったとする。なお、図９は、第１特定部２６が第３記憶部３６から読み取った特徴情報を含むデータのデータ構成を示したものである。
【００６４】
この場合には、第２特定部２８が、共通のキーワードを有するユーザ５２の携帯端末１６毎に携帯端末１６を複数のグループに分類すると、属する携帯端末１６の数の最も多いグループは、嗜好を表すキーワード「ファッション」を有するグループとなる。そして、このグループに属する携帯端末１６のユーザ５２である利用者Ａ、Ｂ、Ｇの各々の端末ＩＤの携帯端末１６が、次に配信するコンテンツの配信対象端末として特定される。
【００６５】
なお、本実施の形態では、第２特定部２８は、読み取った特徴情報に基づいて、第１特定部２６で特定された携帯端末１６のユーザ５２を複数のグループに分類し、属する携帯端末１６の数の最も多いグループに属する携帯端末１６を、次に配信するコンテンツの配信対象端末として特定する多数決方式を用いる場合を説明した。しかし、次に配信するコンテンツの配信対象端末の特定方法は、このような多数決方式にかぎられない。
【００６６】
次に、第２特定部２８は、次に配信するコンテンツの配信対象端末の特徴情報から、該配信対象端末のユーザ５２に共通する共通情報を作成する。この共通情報としては、該配信対象端末のユーザ５２に共通するキーワードや、嗜好モデルが挙げられる。この作成結果である共通情報は、第６記憶部３０に記憶される。
【００６７】
例えば、次に配信するコンテンツの配信対象端末として、上述のように、利用者Ａ、Ｂ、Ｇの各々の端末ＩＤの携帯端末１６が、次に配信するコンテンツの配信対象端末として特定されたとする。この場合には、第６記憶部３０には、嗜好を表すキーワード「ファッション」が、共通情報として、第６記憶部３０に記憶される（図１０（Ａ）参照）。
【００６８】
なお、第６記憶部３０に記憶される共通情報は、図１０（Ａ）に示したような、嗜好を表すキーワードに限られない。例えば、第６記憶部３０は、「ファッション」や「イタリア」等が表示部５０の嗜好を示す情報であることを示すルールや、「ファッション」や「イタリア」等の嗜好を表すキーワードが配信対象端末のユーザ５２の嗜好である確率を示す確率モデルを記憶してもよい（図１０（Ｂ）、図１０（Ｃ）参照）。この場合には、第２特定部２８がこれらのルールや確率モデルを作成し、該ルールや確率モデルを共通情報として第６記憶部３０に記憶すればよい。
【００６９】
決定部３２は、次に第２特定部２８によって特定された次に配信するコンテンツの配信対象端末を示す情報や、現在情報表示装置１４に表示されているコンテンツの配信終了時刻等に基づいて、次に配信するコンテンツのコンテンツデータを決定する。すなわち、決定部３２は、次に配信するコンテンツの配信対象端末のユーザ５２の嗜好に応じたコンテンツのコンテンツデータを、次に配信するコンテンツデータとして決定する。
【００７０】
具体的には、決定部３２は、第６記憶部３０に格納されている、次に配信するコンテンツの配信対象端末の共通情報に対応する情報を含むメタデータを、第７記憶部３４に記憶されているメタデータから特定する。そして、特定したメタデータに含まれるコンテンツＩＤのコンテンツデータを、次に配信するコンテンツデータとして決定する。
【００７１】
例えば、第６記憶部３０に、嗜好を表すキーワード「ファッション」が記憶されている場合には、決定部３２は、上記図７に示すメタデータにおいて、「ファッション」を含むメタデータである、コンテンツＩＤ「００００３」のメタデータを読み取る。そして、このメタデータに含まれるコンテンツＩＤ「００００３」のコンテンツデータを、次に配信する配信対象として決定する。
【００７２】
更新部３８は、決定部３２で決定されたコンテンツデータのコンテンツＩＤと、情報表示装置１４の表示部５０に表示中のコンテンツの配信終了時刻と、に基づいて、第５記憶部４０に記憶されている配信スケジュールを更新する。
【００７３】
具体的には、更新部３８は、情報表示装置１４の表示部５０に表示中のコンテンツの配信終了時刻を「配信開始時刻」とし、該配信開始時刻から予め定めた所定時間経過した時間を「配信終了時刻」として、決定部３２で決定されたコンテンツＩＤに対応づけて第５記憶部４０に記憶することによって、配信スケジュールを更新する。
【００７４】
なお、この更新部３８において用いる「配信終了時刻」は、更新部３８による更新処理の実行前に既に配信スケジュールに登録されている、表示部５０に表示中のコンテンツの配信終了時刻から最も経過時間の短い時刻を配信開始時刻としているコンテンツＩＤの配信開始時刻より、前の時刻とすることが好ましい。
【００７５】
例えば、上記図６に示す配信スケジュールが、更新部３８による更新処理の実行前に既に第５記憶部４０に記憶されているとする。そして、情報表示装置１４の表示部５０に表示中のコンテンツが、コンテンツＩＤ「０００１４」のコンテンツデータであるとする。この場合には、決定部３２で決定されたコンテンツデータのコンテンツＩＤ（例えば、コンテンツＩＤ「０００３」とする）に対応する配信開始時刻としては、現在表示中のコンテンツのコンテンツＩＤ「００１４」の配信終了時刻である「１２：４０：００」を登録する。そして、決定部３２で決定されたコンテンツＩＤ「０００３」に対応する配信終了時刻としては、コンテンツＩＤ「００３２」の配信開始時刻である「１２：４９：００」を登録する。
【００７６】
配信部４４は、第５記憶部４０から配信スケジュールを読取り、現在時刻に配信する予定のコンテンツＩＤに対応するコンテンツデータを第４記憶部４２から取得し、情報表示装置１４へ配信する。
【００７７】
次に、本実施の形態の情報配信装置１２で行われる配信処理について説明する。図１１は、本実施の形態の配信処理の手順を示すフローチャートである。
【００７８】
配信部４４は、時刻Ｔに、現在時刻をセットする（ステップＳ１００）。配信部４４では、情報配信装置１２に設けられた図示を省略する内蔵時計から現在時刻を読み取ることによって、時刻Ｔに現在時刻をセットする。
【００７９】
次に、配信部４４は、時刻Ｔに配信すべきコンテンツが有るか否かを判断する（ステップＳ１０２）。ステップＳ１０２の判断は、第５記憶部４０に記憶されている配信スケジュールに登録されている時刻Ｔに対応するコンテンツＩＤが登録されているか否かを判別することによって行う。なお、時刻Ｔに対応するコンテンツＩＤが登録されているか否かの判別は、各ＩＤに対応づけられている配信開始時刻と配信終了時刻から、該配信開始時刻と、該配信開始時刻から該配信終了時刻までの間の時刻と、該配信終了時刻と、を求め、これらの時刻に時刻Ｔが含まれているか否かを判別することによって行う。
【００８０】
例えば、上記図６に示す配信スケジュールが第５記憶部４０に記憶されている場合に、時刻Ｔが１２時１５分や、１２時１６分である場合には、配信部４４は、時刻Ｔに配信すべきコンテンツが有ると判断する。また、時刻Ｔが１２時２１分や１２時２５である場合には、配信部４４は、時刻Ｔに配信すべきコンテンツ無しと判断する。
【００８１】
配信部４４が、時刻Ｔに配信すべきコンテンツ有と判断した場合には（ステップＳ１０２：Ｙｅｓ）、配信部４４は、時刻Ｔに対応するコンテンツＩＤのコンテンツデータを、第４記憶部４２から読み取る（ステップＳ１０４）。
【００８２】
そして、配信部４４は、ステップＳ１０６で読み取ったコンテンツデータを、情報表示装置１４へ配信する（ステップＳ１０６）。
【００８３】
ステップＳ１０８の処理が行われることによって、コンテンツデータを受け付けた情報表示装置１４では、受け付けたコンテンツデータのコンテンツを表示部５０に表示する。
【００８４】
次に、配信部４４は、上記ステップＳ１０８で情報表示装置１４に配信したコンテンツデータのコンテンツの配信終了時刻Ｔ２より予め定めた時間Ｍ前（例えば、Ｍ分前）となるまで、否定判断を繰り返す（ステップＳ１０８：Ｎｏ）。
【００８５】
なお、この「配信終了時刻Ｔ２より予め定めた時間Ｍ前」における「時間Ｍ」としては、少なくとも、上記ステップＳ１０８で情報表示装置１４にコンテンツデータを配信してから（配信開始時刻から）、本ステップＳ１０８、及び後述するステップＳ１１２〜ステップＳ１２８の処理が終了して配信スケジュールの更新がなされるまでに要する時間（長さ）であればよい。このため、この時間Ｍは、表示部５０に表示中のコンテンツの長さや、情報配信装置１２における処理速度に応じて定めればよい。
【００８６】
ステップＳ１１０で肯定されると（ステップＳ１０８：Ｙｅｓ）、配信部４４は、配信終了か否かを判断する（ステップＳ１１０）。このステップＳ１１０の判断は、例えば、配信終了を示す信号を受け付けたか否かを判断することによって行えばよい。なお、この配信終了を示す信号は、例えば、情報配信装置１２の図示を省略する操作部のユーザによって操作によって配信部４４に入力されるようにしてもよいし、外部装置から受信部２０を介して配信部４４に入力されるようにしてもよい。
【００８７】
配信部４４が、ステップＳ１１０で肯定判断すると（ステップＳ１１０：Ｙｅｓ）、本ルーチンを終了する。
【００８８】
一方、配信部４４が、ステップＳ１１０で否定判断すると（ステップＳ１１０：Ｎｏ）、配信部４４は、時刻Ｔに、上記ステップＳ１０８で情報表示装置１４に配信したコンテンツデータのコンテンツの配信終了時刻Ｔ２を、時刻Ｔにセットし（ステップＳ１１２）、ステップＳ１０２へ戻る。
【００８９】
一方、上記ステップＳ１０２において、配信部４４が、時刻Ｔに配信すべきコンテンツ無と判断した場合には（ステップＳ１０２：Ｎｏ）、第１特定部２６が、情報表示装置１４の表示部５０に表示されているコンテンツの配信終了時刻Ｔ２に、上記領域Ａ内に位置されていると予測される携帯端末１６が有るか否かを判別する（ステップＳ１１４）。
【００９０】
ステップＳ１１４の判断は、上述したように、第１特定部２６において、情報表示装置１４の表示部５０に表示されているコンテンツの配信終了時刻Ｔ２に、上記領域Ａ内に位置されていると予測される携帯端末１６を特定することによって行われる。
【００９１】
第１特定部２６が、情報表示装置１４の表示部５０に表示されているコンテンツの配信終了時刻Ｔ２に、上記領域Ａ内に位置されていると予測される携帯端末１６有りと判断した場合には（ステップＳ１１４：Ｙｅｓ）、ステップＳ１１６へ進む。
【００９２】
次に、第２特定部２８が、第１特定部２６で特定された情報表示装置１４の表示部５０に表示中のコンテンツの配信終了時刻に上記領域Ａ内に到る携帯端末１６の内の、次に配信するコンテンツの配信対象端末を特定する（ステップＳ１１６）。
【００９３】
そして、第２特定部２８は、該特定された配信対象端末の特徴情報から、該配信対象端末のユーザ５２に共通する共通情報を作成し、第６記憶部３０に記憶する（ステップＳ１１８）。
【００９４】
次に、決定部３２が、時刻Ｔ２に配信するコンテンツのコンテンツデータを決定する（ステップＳ１２０）。上述したように、決定部３２は、共通情報に対応する内容を示すコンテンツデータを、次に（すなわち時刻Ｔ２に）配信するコンテンツデータとして決定する。
【００９５】
次に、更新部３８が、上記ステップＳ１２２の処理によって決定部３２で決定されたコンテンツデータのコンテンツＩＤと、情報表示装置１４の表示部５０に表示中のコンテンツの配信終了時刻と、に基づいて、第５記憶部４０に記憶されている配信スケジュールを更新する（ステップＳ１２２）。
【００９６】
次に、第２特定部２８が第６記憶部３０に記憶されている共通情報を削除（メモリクリア）（ステップＳ１２４）した後に、上記ステップＳ１０２へ戻る。
【００９７】
一方、上記ステップＳ１０２において、配信部４４が、時刻Ｔに配信すべきコンテンツ無と判断し（ステップＳ１０２：Ｎｏ）、次に上記ステップＳ１１４で第１特定部２６が否定判断した場合には（ステップＳ１１４：Ｎｏ）、ステップＳ１２６へ進む。決定部３２は、第５記憶部４０に記憶されている配信スケジュールから、配信開始時刻及び配信終了時刻の対応づけられていないコンテンツＩＤを読取り、読み取ったコンテンツＩＤに対応するコンテンツデータを、時刻Ｔ２に配信するコンテンツデータとして決定する（ステップＳ１２６）。
【００９８】
ステップＳ１２６の処理によって、例えば、決定部３２は、上記図６に示すコンテンツＩＤ「００００５」のコンテンツデータが第４記憶部４２から読み取り、時刻Ｔ２に配信するコンテンツデータとして決定する。
【００９９】
次に、更新部３８が、上記ステップＳ１２６の処理によって決定部３２で決定されたコンテンツデータのコンテンツＩＤと、情報表示装置１４の表示部５０に表示中のコンテンツの配信終了時刻と、に基づいて、第５記憶部４０に記憶されている配信スケジュールを更新する（ステップＳ１２８）。その後、上記ステップＳ１０２へ戻る。
【０１００】
上記ステップＳ１００〜ステップＳ１２８に示す配信処理を実行することによって、本実施の形態の情報配信装置１２では、第５記憶部４０に記憶されている配信スケジュールに沿って、コンテンツデータが順次、情報表示装置１４に配信され、情報表示装置１４の表示部５０に表示される。
【０１０１】
以上説明したように、本実施の形態の情報配信システム１０及び情報配信装置１２では、特定部２７が、複数の携帯端末１６のうちの、情報表示装置１４の表示部５０に現在表示中のコンテンツの配信終了時刻（表示終了時刻）に、該情報表示装置１４の位置から予め定められた領域Ａ内に位置する少なくとも一部の携帯端末１６を、次のコンテンツの配信対象端末として特定する。そして、決定部３２が、特定した配信対象端末の特徴情報から、該配信対象端末のユーザ５２に共通する共通情報に対応する情報を含むメタデータに対応するコンテンツデータを、次に配信するコンテンツデータとして決定する。さらに、更新部３８が、決定部３２で決定されたコンテンツデータのコンテンツＩＤと、情報表示装置１４の表示部５０に表示中のコンテンツの配信終了時刻と、を第５記憶部４０に登録することによって配信スケジュールを更新する。配信部４４は、配信スケジュールに沿って、コンテンツデータを情報表示装置１４へ配信する。
【０１０２】
このように、本実施の形態の情報配信システム１０及び情報表示装置１４では、情報表示装置１４の表示部５０にコンテンツが表示されているときに、該コンテンツの表示終了時に該情報表示装置１４から予め定められた領域Ａ内に位置する可能性のある携帯端末１６を特定し、特定した携帯端末１６のユーザ５２の嗜好に応じたコンテンツが、該携帯端末１６が領域Ａ内に至ったときに情報表示装置１４に配信されるように、配信スケジュールを動的に更新することができる。
【０１０３】
従って、本実施の形態の情報配信システム１０及び情報表示装置１４では、情報配信装置１２への小さい負荷で、ユーザ５２に、該ユーザ５２に応じたコンテンツを的確に提供することができる。
【０１０４】
また、本実施の形態の情報配信システム１０及び情報表示装置１４では、第１特定部２６が、第１記憶部２２に記憶されている端末ＩＤの各々に対応する、受信時刻の異なる少なくとも２つの位置情報を読み取り、各携帯端末１６の移動距離と移動速度と移動角度（移動方向）を求める。そして、これらの移動距離、移動速度、移動角度と、情報表示装置１４の位置を示す位置情報と、に基づいて、表示部５０に表示中のコンテンツの配信終了時刻における、情報表示装置１４から所定距離以内の領域である領域Ａ内に存在する携帯端末１６を推定する。
【０１０５】
このため、情報配信システム１０及び情報表示装置１４では、情報表示装置１４の表示部５０に現在表示されているコンテンツの配信終了時刻に、情報表示装置１４から所定距離以内の領域に存在する携帯端末１６を的確に特定することができる。また、コンテンツデータを効率的かつ効果的に配信することができる。
【０１０６】
また、本実施の形態の情報配信システム１０及び情報表示装置１４では、第１特定部２６で、複数の携帯端末１６のうちの、情報表示装置１４の表示部５０に現在表示中のコンテンツの配信終了時刻（表示終了時刻）に、該情報表示装置１４の位置から予め定められた領域Ａ内に位置する携帯端末１６を特定する。そして、第２特定部２８では、第１特定部２６で特定された、情報表示装置１４の表示部５０に表示中のコンテンツの配信終了時刻に上記領域Ａ内に到る携帯端末１６の内の、少なくとも一部の携帯端末１６を、次に配信するコンテンツの配信対象端末として特定する。第２特定部２８では、第１特定部２６で特定された携帯端末１６の特徴情報に基づいて、第１特定部２６で特定された携帯端末１６を複数のグループに分類し、分類した複数のグループの内の、属するユーザ５２（携帯端末１６）の数の最も多いグループに属する携帯端末１６を、次に配信するコンテンツの配信対象端末として特定する。
【０１０７】
このため、情報配信システム１０及び情報表示装置１４では、情報表示装置１４の表示部５０に現在表示されているコンテンツの配信終了時刻に、情報表示装置１４から所定距離以内の領域に存在する携帯端末１６のユーザ５２の嗜好に応じたコンテンツを的確に表示することができる。
【０１０８】
また、本実施の形態の情報配信システム１０及び情報表示装置１４では、配信部４４が、時刻Ｔに配信すべきコンテンツ無と判断し（ステップＳ１０２：Ｎｏ）、且つ第１特定部２６が、情報表示装置１４の表示部５０に表示されているコンテンツの配信終了時刻Ｔ２に領域Ａ内に位置されていると予測される携帯端末１６が無いと判断した場合には（ステップＳ１１４：Ｎｏ）、決定部３２が、配信開始時刻及び配信終了時刻の対応づけられていないコンテンツＩＤに対応するコンテンツデータを、時刻Ｔ２に配信するコンテンツデータとして決定する。
【０１０９】
このため、情報表示装置１４の表示部５０にコンテンツデータが表示されない時間が発生することを、抑制することができる。
【０１１０】
なお、本実施の形態では、配信スケジュールは、予め第５記憶部４０に記憶されており、情報表示装置１４の表示部５０に表示されているコンテンツの配信終了時刻Ｔ２に領域Ａ内に位置されていると予測される携帯端末１６の有無の判別によって更新される場合を説明した（ステップＳ１２２、ステップＳ１２８）。
【０１１１】
しかし、配信スケジュールは、上記更新処理に加えて更に、情報表示装置１４の周囲（予め定めた領域）内で開催されるイベント情報に応じて、更新するようにしてもよい。
【０１１２】
次に、本実施の形態の情報配信装置１２のハードウェア構成について説明する。図１２は、本実施の形態の情報配信装置１２のハードウェア構成を示すブロック図である。
【０１１３】
本実施の形態の情報処理装置１０は、通信インタフェース（Ｉ／Ｆ）６８、ＣＰＵ（Ｃｅｎｔｒａｌ  Ｐｒｏｃｅｓｓｉｎｇ  Ｕｎｉｔ）６０、ＲＯＭ（Ｒｅａｄ  Ｏｎｌｙ  Ｍｅｍｏｒｙ）６２、ＲＡＭ（Ｒａｎｄｏｍ  Ａｃｃｅｓｓ  Ｍｅｍｏｒｙ）６４、及びＨＤＤ６６等がバスにより相互に接続されており、通常のコンピュータを利用したハードウェア構成となっている。
【０１１４】
ＣＰＵ６０は、情報配信装置１２の全体の処理を制御する演算装置である。ＲＡＭ６４は、ＣＰＵ６０による各種処理に必要なデータを記憶する。ＲＯＭ６２は、ＣＰＵ６０による各種処理を実現するプログラム等を記憶する。ＨＤＤ６６は、上述した各記憶部（第１記憶部２２、第２記憶部２４、第６記憶部３０、第３記憶部３６、第７記憶部３４、第５記憶部４０、第４記憶部４２）に格納されるデータを記憶する。通信インタフェース（Ｉ／Ｆ）６８は、情報表示装置１４及び携帯端末１６等の外部装置や外部端末と通信回線１８を介して接続し、接続した外部装置や外部端末との間でデータを送受信するためのインタフェースである。
【０１１５】
なお、本実施の形態の情報配信装置１２で実行される上記各種処理を実行するためのプログラムは、ＲＯＭ６２等に予め組み込んで提供される。
【０１１６】
なお、本実施の形態の情報処理装置１２で実行されるプログラムは、情報配信装置１２にインストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供するように構成してもよい。
【０１１７】
また、本実施の形態の情報配信装置１２で実行されるプログラムを、インターネット等のネットワークに接続されたコンピュータ上に格納し、ネットワーク経由でダウンロードさせることにより提供するように構成してもよい。また、本実施の形態の情報配信装置１２における上記各処理を実行するためのプログラムを、インターネット等のネットワーク経由で提供または配布するように構成してもよい。
【０１１８】
本実施の形態の情報配信装置１２で実行される上記プログラムは、上述した各部（第１特定部２６、第２特定部２８、決定部３２、更新部３８、配信部４４、受信部２０）を含むモジュール構成となっている。実際のハードウェアとしては、ＣＰＵ６０が、ＲＯＭ６２等から各種プログラムを読み出して実行することにより上記各部が主記憶装置上にロードされ、上述した機能構成が主記憶装置上に生成されるようになっている。
【０１１９】
次に、本実施の形態の情報表示装置１４のハードウェア構成について説明する。図１３は、本実施の形態の情報表示装置１４のハードウェア構成を示すブロック図である。
【０１２０】
本実施の形態の情報表示装置１４は、通信インタフェース（Ｉ／Ｆ）８０、ＣＰＵ７０（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）７２、ＲＡＭ（Ｒａｎｄｏｍ  Ａｃｃｅｓｓ  Ｍｅｍｏｒｙ）７４、表示部７８、及びＨＤＤ７６等がバスにより相互に接続されており、通常のコンピュータを利用したハードウェア構成となっている。
【０１２１】
ＣＰＵ７０は、情報表示装置１４の全体の処理を制御する演算装置である。ＲＡＭ７４は、ＣＰＵ７０による各種処理に必要なデータを記憶する。ＲＯＭ７２は、ＣＰＵ７０による各種処理を実現するプログラム等を記憶する。ＨＤＤ７６は、各種データを記憶する。通信インタフェース（Ｉ／Ｆ）８０は、情報表示装置１４等の外部装置と通信回線１８を介して接続し、接続した外部装置との間でデータを送受信するためのインタフェースである。
【０１２２】
なお、本実施の形態の情報表示装置１４で実行される各種処理を実行するためのプログラムは、ＲＯＭ７２等に予め組み込んで提供される。
【０１２３】
なお、本実施の形態の情報処理装置１４で実行されるプログラムは、情報表示装置１４にインストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供するように構成してもよい。
【０１２４】
また、本実施の形態の情報表示装置１４で実行されるプログラムを、インターネット等のネットワークに接続されたコンピュータ上に格納し、ネットワーク経由でダウンロードさせることにより提供するように構成してもよい。また、本実施の形態の情報配信装置１２における上記各処理を実行するためのプログラムを、インターネット等のネットワーク経由で提供または配布するように構成してもよい。
【０１２５】
本実施の形態の情報表示装置１４で実行されるプログラムは、上述した各部（通信部４６、処理部４８、表示部５０）を含むモジュール構成となっている。実際のハードウェアとしては、ＣＰＵ７０が、ＲＯＭ７２等から各種プログラムを読み出して実行することにより上記各部が主記憶装置上にロードされ、上述した機能構成が主記憶装置上に生成されるようになっている。
【０１２６】
（実施の形態２）
上記実施の形態１では、情報表示装置１４側で、上記図１１を用いて説明した配信処理を実行したが、本実施の形態では、これらの情報表示装置１４側で行っていた処理をも、情報表示装置１４側で行う。
【０１２７】
図１４は、本実施の形態の情報表示装置１５を備えた情報配信システム１０Ａのネットワーク構成、及び情報表示装置の各機能的構成を示すブロック図である。
【０１２８】
本実施の形態では、情報配信システム１０Ａは、情報表示装置１５と、携帯端末１６と、を備え、これらがインターネット等の通信回線１８に接続された構成となっている。
【０１２９】
本実施の形態の情報表示装置１５は、実施の形態１で説明した情報配信装置１２の機能、すなわち、携帯端末１６から位置情報等を受信し、配信スケジュールの更新を行う機能をも有する。
【０１３０】
情報表示装置１５は、図１４に示すように、受信部２０、第１記憶部２２、第２記憶部２４、特定部２７、第１特定部２６、第２特定部２８、第６記憶部３０、決定部３２、第７記憶部３４、第３記憶部３６、更新部３８、第５記憶部４０、第４記憶部４２、配信部４４、処理部４８、及び表示部５０を主に備えている。これら各部の機能、構成は実施の形態１における情報配信装置１２及び情報表示装置１４の各部と同様である。
【０１３１】
なお、実施の形態１と異なる点は、情報表示装置１４に設けられていた通信部４６が情報表示装置１５には設けられておらず、該通信部４６の機能を処理部４８が含む点である。すなわち、本実施の形態では、配信部４４は、処理部４８に直接コンテンツデータを送信する。
【０１３２】
また、本実施の形態にかかる情報表示装置１５では、配信処理は、図１１に示す配信処理と同様の処理を、通信部４６を介さずに行う。
【０１３３】
このように本実施の形態では、情報表示装置１５が、配信処理及びコンテンツデータの表示を行うので、実施の形態１と同様の効果を有するほか、システム構成を簡素化することができる。
【０１３４】
なお、上記には、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１３５】
１０  情報配信システム
１２  情報配信装置
１４  情報表示装置
１６  携帯端末
２０  受信部
２２  第１記憶部
２４  第２記憶部
２６  第１特定部
２７  特定部
２８  第２特定部
３０  第６記憶部
３２  決定部
３４  第７記憶部
３６  第３記憶部
３８  更新部
４０  第５記憶部
４２  第４記憶部
４４  配信部
４６  通信部
４８  処理部
５０  表示部
【図１】
0005150744.tif 000002
【図２】
0005150744.tif 000003
【図３】
0005150744.tif 000004
【図４】
0005150744.tif 000005
【図５】
0005150744.tif 000006
【図６】
0005150744.tif 000007
【図７】
0005150744.tif 000008
【図８】
0005150744.tif 000009
【図９】
0005150744.tif 000010
【図１０】
0005150744.tif 000011
【図１１】
0005150744.tif 000012
【図１２】
0005150744.tif 000013
【図１３】
0005150744.tif 000014
【図１４】
0005150744.tif 000015